(57)【要約】【課題】折返し部分にミシン目を形成するなどの特別な加工が施されていない商品見本用の印刷フィルムを使用した場合にも、その印刷フィルムに長期間に亘って撓み等の変化が生じることがない商品見本用箱体を提供することを課題とする。【解決手段】商品を表示する印刷がなされた印刷フィルム１の左右の側端部はそれぞれ外箱部２と内箱部３との間に狭持される。外箱部２の４つの側壁板２１〜２４の端縁部には、内側に傾斜している傾斜端面部２１ａ〜２４ａが形成されている。この傾斜端面部２１ａ〜２４ａは、内箱部３の傾斜部３０ａに当接する。内箱部３の側壁板３３，３４には突出部３３ｂ，３４ｂが形成されており、外箱部２の側壁板２３，２４には突出部３３ｂ，３４ｂが嵌合可能な嵌合溝部２３ｂ，２４ｂが設けられている。【選択図】  図１
2004157884.tif 000002
【特許請求の範囲】
【請求項１】
略長方形の表面板と、該表面板の４辺のそれぞれの周縁に連設された上部側壁板，下部側壁板，左側壁板，右側壁板とを具えた外箱部と、
該外箱部の４つの側壁板のそれぞれの端縁部が当接可能な周辺寸法を有する略長方形の底面板と、前記表面板と対向する前記底面板の面に形成され且つ前記外箱部の４つの側壁板それぞれの内側に嵌合可能な内側上部側壁板，内側下部側壁板，内側左側壁板，内側右側壁板とを具えた内箱部とから構成され、
商品を表示する印刷がなされ且つ前記外箱部の左側壁板，表面板，右側壁板を覆う印刷フィルムの左側端部を前記左側壁板と前記内側左側壁板とによって狭持し、前記印刷フィルムの右側端部を前記右側壁板と前記内側右側壁板とによって狭持する商品見本用箱体であって、
前記外箱部の前記左側壁板および前記右側壁板の端縁部には、当該側壁板の外側の側壁面とのなす角度が鋭角となるような面を有する傾斜端面部が形成され、
前記外箱部の前記左側壁板および前記右側壁板の端縁部が当接する前記底面板の周縁部には、前記傾斜端面部の面が当接可能な傾斜部が形成されていることを特徴とする商品見本用箱体。
【請求項２】
前記内箱部の前記内側上部側壁板，内側下部側壁板，内側左側壁板，内側右側壁板の各々はそれぞれが独立した状態で前記底面板に形成されており、前記内側左側壁板の前記左側壁板に対向する側壁面と前記内側右側壁板の前記右側壁板に対向する側壁面とには、上下方向に延在する突出部が形成され、前記左側壁板および前記右側壁板の内側の側壁面には、前記内箱部を前記外箱部に嵌合させた際に前記突出部が嵌合可能な嵌合溝部が形成されていることを特徴とする請求項１に記載の商品見本用箱体。
【請求項３】
前記内側左側壁板および前記内側右側壁の側壁面に上下方向に延在する前記突出部の横断面の形状は三角形であることを特徴とする請求項２に記載の商品見本用箱体。
【請求項４】
前記内箱部を前記外箱部に嵌合させた際、当該内箱部および外箱部によって組み立てられた箱体の下面部に当該箱体の内部から外部に至る通気口が形成されるように、前記下部側壁板および前記内側下部側壁板には連通口が設けられていることを特徴とする請求項１ないし請求項３のいずれかの項に記載の商品見本用箱体。
【発明の詳細な説明】
【０００１】
【発明の属する技術分野】
本発明は、自動販売機等に展示されているタバコ等の商品見本に使用する商品見本用箱体に関するものである。
【０００２】
【従来の技術】
図８は、従来のタバコの商品見本の構成を示す分解斜視図である。
【０００３】
図８において、１は、ポリエステルフィルム等の透明フィルムの内面または外面に商品を展示する印刷がなされている印刷フィルムである。印刷フィルム１は、ポリスチレンやアクリル樹脂等の合成樹脂材料からなる商品見本用箱体に固定されるものである。この商品見本用箱体は、図８に示すような外箱部２とこの外箱部２の内側に嵌合する内箱部３とから構成されている。
【０００４】
印刷フィルム１を箱体に固定する場合には、印刷フィルム１を外箱部２に巻き付け、その左右の側端部を、図９（ａ）に示したように外箱部２の側壁部の縁に沿って内側に折り返した状態にしておき、内箱部３を外箱部２に嵌合させる。なお、図８に示したように、印刷フィルム１に上面部１ａが形成されている場合には、この上面部１ａは両面粘着テープによって外箱部２の上面に固定する。
【０００５】
以上のようにして構成される従来の商品見本においては、印刷フィルム１の左右の側端部を、外箱部２の側壁部の縁に沿って折り返したとき、印刷フィルム１の弾性力によって折り返した部分に図９（ａ）に示したような湾曲部１ｂが生じる。このような湾曲部１ｂがある場合には、この湾曲部１ｂの復元力により時間の経過とともに、図９（ｂ）に示したように印刷フィルム１に撓みが生じてくる。このような撓みが生じると、図１０に示すように商品見本の表面が歪んでしまうために、商品見本の見映が悪くなる。即ち、このような従来の商品見本においては、経年変化によってその見映が悪くなってしまうという問題点があった。
【０００６】
このように合成樹脂製の印刷フィルム１を、厚みのある部材の縁に沿って折り返した場合に生じる部材の端面に密着していない湾曲部１ｂの発生を防止するために、印刷フィルム１の折返し部分にあらかじめ部材の幅を有する平行な２本のミシン目が形成されている印刷フィルム１が既に提案されている。（例えば、特許文献１参照）。
【特許文献１】
特開２００１−８３８８１号公報（第３頁，図２）
【０００７】
【発明が解決しようとする課題】
しかしながら、印刷フィルム１にあらかじめミシン目を形成する場合には、図８に示した従来の印刷フィルム１に比してその製造コストが上昇するという新たな問題点が生じてしまう。
【０００８】
本発明の目的は、折返し部分にミシン目を形成するなどの特別な加工が施されていない商品見本用の印刷フィルムを使用した場合にも、その印刷フィルムに長期間に亘って撓み等の変化が生じることがない商品見本用箱体を提供することにある。
【０００９】
【課題を解決するための手段】
以上の目的を達成するために本発明は、略長方形の表面板と、該表面板の４辺のそれぞれの周縁に連設された上部側壁板，下部側壁板，左側壁板，右側壁板とを具えた外箱部と、該外箱部の４つの側壁板のそれぞれの端縁部が当接可能な周辺寸法を有する略長方形の底面板と、前記表面板と対向する前記底面板の面に形成され且つ前記外箱部の４つの側壁板それぞれの内側に嵌合可能な内側上部側壁板，内側下部側壁板，内側左側壁板，内側右側壁板とを具えた内箱部とから構成され、商品を表示する印刷がなされ且つ前記外箱部の左側壁板，表面板，右側壁板を覆う印刷フィルムの左側端部を前記左側壁板と前記内側左側壁板とによって狭持し、前記印刷フィルムの右側端部を前記右側壁板と前記内側右側壁板とによって狭持する商品見本用箱体であって、前記外箱部の前記左側壁板および前記右側壁板の端縁部には、当該側壁板の外側の側壁面とのなす角度が鋭角となるような面を有する傾斜端面部が形成され、  前記外箱部の前記左側壁板および前記右側壁板の端縁部が当接する前記底面板の周縁部には、前記傾斜端面部の面が当接可能な傾斜部が形成されていることを特徴とするものである。
【００１０】
【発明の実施の形態】
以下、図面を用いて本発明の実施形態について説明する。
【００１１】
図１は、本発明の一実施形態の構成を示す分解斜視図である。また、図２（ａ）は図１に示した外箱部２の側壁板２３，２４の断面構造を示す断面図であり、図２（ｂ）は図１に示した内箱部３の側壁部３３，３４の断面構造を示す断面図である。ここで、図１に示した印刷フィルム１の構成は、先に説明した従来の印刷フィルム１（図８参照）の構成と同様であるのでその説明は省略する。
【００１２】
本実施形態は、図１および図２に示したような合成樹脂材料からなる外箱部２と、この外箱部２の内側に嵌合する内箱部３とによって構成されている。
【００１３】
外箱部２は、略長方形の表面板２０と、この表面板２０の４辺のそれぞれの周縁に連設された上部側壁板２１，下部側壁板２２，右側壁板２３，左側壁板２４とによって構成されている。
【００１４】
内箱部３は、外箱部２の４つの側壁板２１〜２４のそれぞれの端縁部が当接可能な周辺寸法を有する略長方形の底面板３０と、それぞれが独立した状態で底面板２０に連設されている４つの側壁板すなわち、内側上部側壁板３１，内側下部側壁板３２，内側右側壁板３３，内側左側壁板３４とによって構成されている。この内箱部３の４つの側壁板３１〜３４は、外箱部２の４つの側壁板２１〜２４の内側に嵌合するような位置に設けられている。
【００１５】
ここで、内箱部３を外箱部２に嵌合させて商品見本用箱体を組み立てたとき、内箱部３の底面板２０に当接する外箱部２の４つの側壁板２１〜２４の端縁部には、それぞれの側壁板の外側の側壁面とのなす角度が鋭角（本実施形態においては４５°）となるような面を有する傾斜端面部２１ａ〜２４ａが形成されている（図２（ａ）参照）。
【００１６】
また、外箱部２の４つの側壁板２１〜２４の端縁部が当接する内箱部３の底面板２０の周縁部には、４つの側壁板２１〜２４のそれぞれの傾斜端面部２１ａ〜２４ａの面が当接可能な傾斜部３０ａが形成されている（図２（ｂ）参照）。
【００１７】
図１に示すように内箱部３の内側右側壁板３３と内側左側壁板３４との外側の側壁面には、上下方向に延在する突出部３３ｂ，３４ｂが形成されている。この突出部３３ｂ，３４ｂは、本実施形態においてはその断面が図２（ｂ）に示すように三角形となるように形成されている。
【００１８】
外箱部２の右側壁板２３と左側壁板２４との内側の側壁面とには、内箱部３を外箱部２に嵌合させて箱体を組み立てたとき内箱部３の突出部３３ｂ，３４ｂが嵌合可能な嵌合溝部２３ｂ，２４ｂが形成されている。
【００１９】
なお、内箱部３を外箱部２に嵌合させて箱体を組み立てる際、内箱部３の４つの側壁板３１〜３３は連設されていないので、突出部３３ｂ，３４ｂが外箱部２の内部に進入するとき、内側右側壁板３３と内側左側壁板３４とはそれぞれ内側に弾性的に変位する。
【００２０】
以上のように構成された本実施形態においては、図１に示した印刷フィルム１によって外箱部２の右側壁板２３，表面板２０，左側壁板２４を覆い、印刷フィルム１の左右の側端部をそれぞれ右側壁板２３と左側壁板２４の縁に沿って折り返して図３（ａ）に示した状態にした後、内箱部３を外箱部２に嵌合させて（図３（ｂ）に示した状態）、箱体の組立てを終了する。
【００２１】
以上のようにして商品見本を組み立てる工程における本実施形態の作用について図４を用いて説明する。
【００２２】
図４（ａ）〜（ｃ）はそれぞれ組立て工程における右側壁板２３および内側右側壁板３３の状態を示した拡大断面図である。
【００２３】
先ず、印刷フィルム１の側端部を右側壁板２３の縁に沿って折り返す際、図４（ａ）に示すように、本実施形態においては、右側壁板２３の端縁部に傾斜端面部２３ａが形成されているために、印刷フィルム１を鋭角となっている縁、すなわち厚みのない縁に沿って折り返すことができる。従って、この印刷フィルム１の折り返し部分には従来のような湾曲部（図９（ａ）参照）は生じない。
【００２４】
次に、内箱部を外箱部内に嵌入させる際には、内箱部の内側右側壁板３３が図４（ｂ）のＡ方向に弾性的に変位する。従って印刷フィルム１の折り返された側端部は、内側右側壁板３３の突出部３３ｂの先端部分に押圧された状態となる。また図４（ｂ）では省略されているが、内箱部の左側でも、折り返された印刷フィルム１の側端部が内側左側壁板３４の突出部３４ｂの先端部分に押圧された状態となっている。このような状態で、外箱部内に内箱部を嵌入させるので、この嵌入工程においては、外箱部の表面板２０上の印刷フィルム１が左右に引っ張られた状態が維持される。即ち、この嵌入工程において、印刷フィルム１に撓みが生じることはない。
【００２５】
また、この嵌入工程が終了して箱体の組立てが終了した時点においては、図４（ｃ）に示したように、印刷フィルム１の右側端部は、「く」の字形に変形した状態で突出部３３ｂと嵌合溝部２３ｂとによって狭持されることになる。図４（ｃ）では省略されているが内箱部の左側でも、印刷フィルム１の左側端部が「く」の字形に変形した状態で突出部３４ｂと嵌合溝部２４ｂとによって狭持されている（図３（ｂ）参照）。このように本実施形態においては、商品見本が組み立てられた時点で印刷フィルム１の左右の側端部が商品見本用箱体に確実に固定される構成となっているので、印刷フィルム１が長期間に亘って撓まず、従って図５に示したように印刷フィルム１の表面が歪まない状態を長期間に亘って保持することができる。
【００２６】
ここで、本実施形態においては、以上説明したように外箱部２の表面上に印刷フィルム１を長期間に亘って密着させておくことができる。しかしながら、真夏の浜辺等に設置されている自動販売機などのように、長時間に亘って高温となる環境下で本実施形態に係る商品見本を展示した場合には、本実施形態に係る商品見本用箱体自体が変形し、その結果として印刷フィルム１の表面が歪んでしまうことがある。
【００２７】
このように商品見本の使用環境が、長時間に亘って高温となる環境である場合には、図６に示したように商品見本用箱体の下面部に、冷却用の通気口４１〜４３を形成することによって、箱体自体の変形を防ぐことができる。
【００２８】
このような通気口４１〜４３を形成する場合には、箱体を組み立てたときに、通気口４１〜４３が形成されるように、図７に示したような連通口４１ａ〜４３ａを外箱部２の下部側壁板２２に形成し、連通口４１ｂ〜４３ｂを内箱部３の内側下部側壁板３２に形成しておけばよい。
【００２９】
【発明の効果】
以上説明したように本発明によれば、折返し部分にミシン目を形成するなどの特別な加工が施されていない商品見本用の印刷フィルムを使用した場合にも、その印刷フィルムに長期間に亘って撓み等の変化が生じることがない商品見本用箱体を提供することができる。
【図面の簡単な説明】
【図１】本発明の一実施形態の構成を示す分解斜視図である。
【図２】図１に示した実施形態の断面図である。
【図３】図１に示した実施形態の説明図である。
【図４】図１に示した実施形態の説明図である。
【図５】図１に示した実施形態の説明図である。
【図６】本発明の他の実施形態の構成を示す斜視図である。
【図７】図６に示した実施形態の分解斜視図である。
【図８】従来例の構成を示す分解斜視図である。
【図９】従来例の説明図である。
【図１０】従来例の説明図である。
【符号の説明】
１  印刷フィルム
１ａ  上面部
２  外箱部
３  内箱部
２０  表面板
２１  上部側壁板
２１ａ〜２４ａ  傾斜端面部
２２  下部側壁板
２３  右側壁板
２３ｂ，２４ｂ  嵌合溝部
２４  左側壁板
３０  底面板
３０ａ  傾斜部
３１  内側上部側壁板
３２  内側下部側壁板
３３  内側右側壁板
３３ｂ，３４ｂ  突出部
３４  内側左側壁板
４１〜４３  通気口
４１ａ，４１ｂ，４２ａ，４２ｂ，４３ａ，４３ｂ  連通口
Ａ  方向
【図１】
2004157884.tif 000003
【図２】
2004157884.tif 000004
【図３】
2004157884.tif 000005
【図４】
2004157884.tif 000006
【図５】
2004157884.tif 000007
【図６】
2004157884.tif 000008
【図７】
2004157884.tif 000009
【図８】
2004157884.tif 000010
【図９】
2004157884.tif 000011
【図１０】
2004157884.tif 000012